(57)【要約】【課題】キャップ開封時におけるフラップの反転を確実に防止しつつも、キャップ開封時のトルクに関する違和感を使用者に覚えさせることを抑制するキャップおよびキャップ付き容器を提供すること。【解決手段】キャップ本体２０の下端に弱化部４０を介して接続されるＴＥバンド３０とを備えたキャップ１０であって、ＴＥバンド３０は、バンド本体部３１の内周側に折り返されるフラップ３２とを有し、フラップ３２は、容器装着時に容器フランジ５３の下側に係合可能なフランジ用係合部３２ｂと、容器装着時に容器フランジ５３の外周側に配置される姿勢維持片３２ｃとを有し、バンド本体部３１の内周壁には、容器装着時に、姿勢維持片３２ｃの外周壁とバンド本体部３１の内周壁との間に間隙を形成する逃げ部２２ｃが形成されているキャップ１０。【選択図】図２
2017019510.tif 000002
【特許請求の範囲】
【請求項１】
キャップ本体と、前記キャップ本体の下端に弱化部を介して接続されるＴＥバンドとを備えたキャップであって、
前記ＴＥバンドは、前記キャップ本体の下端に接続される環状のバンド本体部と、前記バンド本体部の下端に連設され前記バンド本体部の内周側に折り返されるフラップとを有し、
前記フラップは、前記バンド本体部の下端に連設されたフラップ本体と、前記フラップ本体の内周側に形成され、容器装着時に容器フランジの下側に係合可能なフランジ用係合部と、前記フラップ本体の上端側に形成され、容器装着時に前記容器フランジの外周側に配置される姿勢維持片とを有し、
前記バンド本体部の内周壁には、容器装着時に、前記姿勢維持片の外周壁と前記バンド本体部の内周壁との間に間隙を形成する逃げ部が形成されていることを特徴とするキャップ。
【請求項２】
前記姿勢維持片の周方向幅は、前記フラップ本体の周方向幅よりも狭く形成されていることを特徴とする請求項１に記載のキャップ。
【請求項３】
前記姿勢維持片は、前記フラップ本体の周方向両端にそれぞれ形成されていることを特徴とする請求項２に記載のキャップ。
【請求項４】
前記姿勢維持片の厚みは、前記フラップ本体の最薄箇所の厚みよりも薄く形成されていることを特徴とする請求項１乃至請求項３のいずれかに記載のキャップ。
【請求項５】
請求項１乃至請求項４のいずれかに記載のキャップと、容器とを備えるキャップ付き容器であって、
前記容器は、容器口筒部と、前記容器口筒部の外周に形成された容器側ネジ部と、前記容器側ネジ部の下方において前記容器口筒部の外周に形成された前記容器フランジとを有し、
前記キャップを前記容器に装着した状態で、前記姿勢維持片の外周壁と前記バンド本体部の内周壁との間に間隙が形成されることを特徴とする記載のキャップ付き容器。
【発明の詳細な説明】
【技術分野】
【０００１】
本発明は、キャップ本体の下端に弱化部を介して接続されるＴＥバンドを備えた容器用のキャップおよびキャップ付き容器に関する。
【背景技術】
【０００２】
近年、流通過程等においてキャップが不正に開封されることを防止するために、キャップ本体の下端に弱化部を介して接続されるＴＥバンド（タンパーエビデントバンド）を有したキャップが、飲料用容器等の幅広い分野で採用されている。
【０００３】
このようなＴＥバンドを有したキャップとして、従来、図４に示すように、キャップ本体１２０の下端に弱化部１４０を介して接続されたＴＥバンド１３０を備え、ＴＥバンド１３０の下端に、ＴＥバンド１３０の内周側に折り返されるフラップ１３２を連設することにより、キャップ開封時に、容器１５０に対してキャップ１１０を回転させ、容器１５０に対してキャップ１１０を上方に移動させた際に、フラップ１３２を容器フランジ１５３の下側に係合させて弱化部１４０を破断するキャップ１１０が知られている。
【０００４】
ところが、このようなキャップ１１０では、ＴＥバンド１３０の下端に形成されたフラップ１３２がＴＥバンド１３０の内周側の上方に向けて折り返されていることから、容器フランジ１５３の下方の容器口筒部１５１の外径が小さい場合には、フラップ１３２がその弾性によって容器口筒部１５１側に向けて倒れこみ、フラップ１３２とＴＥバンド１３０との間の角度αが大きくなるため、キャップ開封時に、図５に示すように、フラップ１３２と容器フランジ１５３との係合によってフラップ１３２が弾性変形して下方に倒れ、フラップ１３２が反転を生じてしまう場合がある。この様なフラップ１３２の反転が生じた場合、弱化部１４０が破断することなく、ＴＥバンド１３０が容器口筒部１５１からすっぽ抜けることになり、不正開栓したことがわからなくなる。
【０００５】
そこで、フラップ１３２の反転を防止する機能を付加したキャップ１１０として、図６に示すように、フラップ１３２の内周壁に容器フランジ１５３の下側に係合可能なフランジ用係合部１３２ｂを形成するとともに、容器装着時に、フラップ１３２の先端部分である姿勢維持片１３２ｃを容器フランジ１５３の外周壁とＴＥバンド１３０の内周壁との間で挟むことにより、フラップ１３２とＴＥバンド１３０との間の角度αを維持するキャップ１１０が提案されている（特許文献１を参照）。
【先行技術文献】
【特許文献】
【０００６】
【特許文献１】実公平５−１３７３５号公報
【発明の概要】
【発明が解決しようとする課題】
【０００７】
ところが、特許文献１に記載のキャップ１１０では、姿勢維持片１３２ｃが容器フランジ１５３の外周壁とＴＥバンド１３０の内周壁との間で挟まれ、姿勢維持片１３２ｃの外周側がＴＥバンド１３０によって支持されていることから、姿勢維持片１３２ｃの内周壁と容器フランジ１５３の外周壁との間の接触圧が大きくなり、容器１５０に対してキャップ１１０を回転させる際の姿勢維持片１３２ｃの内周壁と容器フランジ１５３の外周壁との間の摩擦が大きくなる。
【０００８】
その結果、図４や図５に示すような通常のキャップ１１０、すなわち、ＴＥバンド１３０の内周壁と容器フランジ１５３の外周壁との間に姿勢維持片１３２ｃ等が介在していない通常のキャップ１１０と比較して、キャップ開封時においてキャップ１１０の回転を開始させる際に必要とされる所謂ファーストトルクが大きくなるため、キャップ開封時のトルクに関する違和感を使用者に覚えさせてしまう場合があるという問題があった。
上述した問題は、特に、フラップ１３２の厚み寸法、容器フランジ１５３の外径寸法、ＴＥバンド１３０の内径寸法等の、各寸法に製造誤差が生じた場合には更に顕著になる。
【０００９】
そこで、本発明は、これらの問題点を解決するものであり、キャップ開封時におけるフラップの反転を確実に防止しつつも、キャップ開封時のトルクに関する違和感を使用者に覚えさせることを抑制するキャップおよびキャップ付き容器を提供することを目的とするものである。
【課題を解決するための手段】
【００１０】
本発明のキャップは、キャップ本体と、前記キャップ本体の下端に弱化部を介して接続されるＴＥバンドとを備えたキャップであって、前記ＴＥバンドは、前記キャップ本体の下端に接続される環状のバンド本体部と、前記バンド本体部の下端に連設され前記バンド本体部の内周側に折り返されるフラップとを有し、前記フラップは、前記バンド本体部の下端に連設されたフラップ本体と、前記フラップ本体の内周側に形成され、容器装着時に容器フランジの下側に係合可能なフランジ用係合部と、前記フラップ本体の上端側に形成され、容器装着時に前記容器フランジの外周側に配置される姿勢維持片とを有し、前記バンド本体部の内周壁には、容器装着時に、前記姿勢維持片の外周壁と前記バンド本体部の内周壁との間に間隙を形成する逃げ部が形成されていることにより、前記課題を解決するものである。
本発明のキャップ付き容器は、前記キャップと、容器とを備えるキャップ付き容器であって、前記容器は、容器口筒部と、前記容器口筒部の外周に形成された容器側ネジ部と、前記容器側ネジ部の下方において前記容器口筒部の外周に形成された前記容器フランジとを有し、前記キャップを前記容器に装着した状態で、前記姿勢維持片の外周壁と前記バンド本体部の内周壁との間に間隙が形成されることにより、前記課題を解決するものである。
【発明の効果】
【００１１】
本請求項１、５に係る発明によれば、ＴＥバンドのバンド本体部の内周壁に、容器装着時に容器フランジの外周側に配置されるフラップの姿勢維持片の外周壁とバンド本体部の内周壁との間に間隙を形成する逃げ部が形成されていることにより、容器にキャップを装着した状態で、姿勢維持片の外周壁とバンド本体部の内周壁との間に間隙が形成され、姿勢維持片の外周側がバンド本体部によって支持されることを回避するとともに、姿勢維持片を外周側に撓ませることが可能になるため、姿勢維持片の内周壁と容器フランジの外周壁との間の接触圧が大きくなることを回避して、容器に対してキャップを回転させる際の姿勢維持片の内周壁と容器フランジの外周壁との間の摩擦が大きくなることを回避することができる。これにより、容器フランジに対する姿勢維持片の接触によってフラップとＴＥバンドとの間の角度を維持して、キャップ開封時におけるフラップの反転を確実に防止しつつも、キャップ開封時のトルクに関する違和感を使用者に覚えさせることを抑制することができる。
【００１２】
本請求項２に係る発明によれば、姿勢維持片の周方向幅が、フラップ本体の周方向幅よりも狭く形成されていることにより、フラップ本体の周方向幅と同じ幅で姿勢維持片を形成した場合と比較して、材料コストを低減することができるばかりでなく、フラップの姿勢維持片の内周壁と容器フランジの外周壁との間の摩擦を更に低減することができ、キャップ開封時に必要とされるトルクを通常のキャップにより近づけることができる。
本請求項３に係る発明によれば、姿勢維持片が、フラップ本体の周方向両端にそれぞれ形成されていることにより、両端に形成された姿勢維持片によって、フラップとＴＥバンドとの間の角度を確実に維持しつつも、姿勢維持片の内周壁と容器フランジの外周壁との間の摩擦を低減することができる。
本請求項４に係る発明によれば、姿勢維持片の厚みが、フラップ本体の最薄箇所の厚みよりも薄く形成されていることにより、姿勢維持片の可撓性が向上し、キャップ開封時に、姿勢維持片が外周側に向けて撓み易くなるため、容器フランジとフランジ用係合部との係合を良好に維持しつつも、フラップの姿勢維持片の内周壁と容器フランジの外周壁との間の摩擦を一段と低減することができる。
【図面の簡単な説明】
【００１３】
【図１】本発明の一実施形態に係るキャップを示す説明図。
【図２】図１に示すキャップの開栓前の状態を部分的に示す断面図。
【図３】図１に示すキャップの開栓後の状態を部分的に示す断面図。
【図４】従来のキャップの開栓前の状態を部分的に示す断面図。
【図５】従来のキャップの開栓後の状態を部分的に示す断面図。
【図６】他の従来のキャップを示す断面図。
【発明を実施するための形態】
【００１４】
以下に、本発明の一実施形態に係るキャップ１０について、図面に基づいて説明する。
【００１５】
まず、キャップ１０は、合成樹脂等から形成され、図１や図２に示すように、キャップ本体２０と、キャップ本体２０の下端に弱化部４０を介して接続されるＴＥバンド３０とを備えている。
【００１６】
キャップ本体２０は、図１や図２に示すように、円板状の天面壁２１と、天面壁２１の外周縁から垂下する円筒状のスカート壁２２とを有している。
【００１７】
天面壁２１には、図１や図２に示すように、天面壁２１の下面から下方に突出するインナーリング２１ａと、インナーリング２１ａの外周側において天面壁２１の下面から下方に突出するアウターリング２１ｂとが形成されている。インナーリング２１ａは、容器５０に対してキャップ１０を取り付けた状態で、容器口筒部５１の内周側に密着し、また、アウターリング２１ｂは、容器口筒部５１の外周側に密着する。
また、スカート壁２２の外周壁には、ナール部２２ａが形成され、また、スカート壁２２の内周壁には、容器５０の容器口筒部５１の外周壁に形成された容器側ネジ部５２と螺合するキャップ側ネジ部２２ｂが形成されている。
【００１８】
弱化部４０は、図１や図２に示すように、キャップ本体２０のスカート壁２２の下端とＴＥバンド３０のバンド本体部３１の上端とを接続する破断可能な環状の部位である。本実施形態においては、弱化部４０は、キャップ周方向に交互に形成された複数のブリッジおよびスリットから構成されている。なお、弱化部４０の具体的態様については、破断可能に設けられていれば如何なるものでもよい。
【００１９】
ＴＥバンド３０は、図１や図２に示すように、環状のバンド本体部３１と、バンド本体部３１の下端に連設されバンド本体部３１の内周側の上方に向けて折り返されるフラップ３２とを有している。フラップ３２は、相互間に間隔を置いて、キャップ周方向に沿って複数形成されている。
【００２０】
バンド本体部３１は、図２に示すように、その内周側が下端に向かうほど内周側に厚肉となるテーパ状に形成されており、バンド本体部３１とフラップ３２とがなす折れ曲がり起点が、バンド本体部３１の上端側の内周面よりも内周側に位置するように形成されている。これにより、キャップ装着時に、フラップ３２の姿勢を垂直に維持した状態で容器フランジ５３に対してフラップ３２を接触させることが可能であるため、開栓時のＴＥバンド３０のすっぽ抜けを防止することができる。
各フラップ３２は、図１や図２に示すように、バンド本体部３１の下端に連設されたフラップ本体３２ａと、フラップ本体３２ａの内周壁に突出形成され、容器５０に対してキャップ１０を装着した状態で、容器側ネジ部５２の下方において容器口筒部５１の外周に形成された容器フランジ（カブラ）５３の下側に係合可能なフランジ用係合部３２ｂと、フラップ本体３２ａの上端に突出形成され、容器５０に対してキャップ１０を装着した状態で、容器フランジ５３の外周側に配置される複数の姿勢維持片３２ｃとを有している。
フラップ本体３２ａは、図２に示すように、その内周側が下端に向かうほど薄肉となるテーパ状に形成されており、これにより、キャップ装着時のフラップ３２の折り曲げ抵抗を軽減できる。
また、図２に示すように、容器５０に対してキャップ１０を装着した状態では、フランジ用係合部３２ｂと容器フランジ５３との間には、上下方向の間隙が形成されている。
この上下方向の間隙は、開栓工程において、インナーリング２１ａおよびアウターリング２１ｂと容器口筒部５１との間の密着状態が解除されるよりも先に、フランジ用係合部３２ｂの上面と容器フランジ５３の下面とが係合し、弱化部４０が破断するような大きさで形成されている。
【００２１】
フランジ用係合部３２ｂは、図１に示すように、フラップ本体３２ａのキャップ周方向の中央部に形成され、姿勢維持片３２ｃは、フラップ本体３２ａのキャップ周方向の両端にそれぞれ形成されている。
本実施形態においては、フランジ用係合部３２ｂは、図２に示すように、その上面が略水平に形成され、また、その内周側が下端に向かうほど薄肉となるテーパ状（すなわち、断面形状が下方に向けて先細る略三角形）に形成されている。
なお、フランジ用係合部３２ｂの具体的形状については、上記に限定されないが、開栓時のＴＥバンド３０のすっぽ抜けなどを考慮すると、その上面を略水平に形成し、図３に示すように、容器フランジ５３の下面とフランジ用係合部３２ｂの上面とを水平に接触させることが好ましい。
また、フランジ用係合部３２ｂおよび姿勢維持片３２ｃは、キャップ周方向に重ならないように形成され、これにより、射出成形によるキャップ１０の成形性、特に、フラップ３２の成形性を向上させることができる。
また、フランジ用係合部３２ｂおよび姿勢維持片３２ｃのキャップ周方向における幅は、フラップ本体３２ａの周方向幅よりも狭く形成されている。
また、姿勢維持片３２ｃのキャップ径方向における厚みは、フラップ本体３２ａの最薄箇所の厚みよりも薄く形成されている。
なお、本実施形態では、姿勢維持片３２ｃは、図１や図２に示すように、その断面形状が矩形状に形成されているが、姿勢維持片３２ｃの具体的態様についてはこれに限定されず、例えば、その断面形状を三角形や円弧状に形成してもよく、また、容器フランジ５３と接触する姿勢維持片３２ｃの内周面に、梨地加工等の、接触による抵抗の軽減を図る加工を施してもよい。
【００２２】
バンド本体部３１の内周壁の上端側およびスカート壁２２の内周壁の下端側には、図２に示すように、容器５０に対してキャップ１０を装着した状態で、姿勢維持片３２ｃの外周壁とバンド本体部３１の内周壁との間に間隙を形成する凹部状の逃げ部２２ｃ、３１ａが形成されている。これら逃げ部２２ｃ、３１ａを形成することにより、姿勢維持片３２ｃが外周側に向けて撓むことができる。
なお、逃げ部２２ｃ、３１ａの具体的態様については、容器５０に対してキャップ１０を装着した状態で、姿勢維持片３２ｃの外周壁とバンド本体部３１の内周壁との間に間隙を形成するものであれば、如何なるものでもよい。
また、姿勢維持片３２ｃの長さが短い場合には、スカート壁２２の内周壁の下端側に逃げ部２２ｃを形成することなく、バンド本体部３１の内周壁の上端側のみに逃げ部３１ａを形成してもよい。
【００２３】
以上、本発明の実施形態を詳述したが、本発明は上記実施形態に限定されるものではなく、特許請求の範囲に記載された本発明を逸脱することなく種々の設計変更を行なうことが可能である。
【００２４】
例えば、フランジ用係合部や姿勢維持片の具体的配置や個数や寸法については、如何なるものであってもよい。例えば、フランジ用係合部および姿勢維持片のキャップ周方向における幅を、フラップ本体の周方向幅と同じに設計してもよく、また、フランジ用係合部を、フラップ本体における離間した２箇所に形成したり、姿勢維持片を、フラップ本体における離間した３箇所に形成してもよい。
また、各姿勢維持片の外周側に一体に形成され、キャップ周方向に複数配置された姿勢維持片をキャップ周方向に繋げる環状の接続部を追加形成することも考えられる。
【符号の説明】
【００２５】
１０    ・・・  キャップ
２０    ・・・  キャップ本体
２１    ・・・  天面壁
２１ａ  ・・・  インナーリング
２１ｂ  ・・・  アウターリング
２２    ・・・  スカート壁
２２ａ  ・・・  ナール部
２２ｂ  ・・・  キャップ側ネジ部
２２ｃ  ・・・  逃げ部
３０    ・・・  ＴＥバンド
３１    ・・・  バンド本体部
３１ａ  ・・・  逃げ部
３２    ・・・  フラップ
３２ａ  ・・・  フラップ本体
３２ｂ  ・・・  フランジ用係合部
３２ｃ  ・・・  姿勢維持片
４０    ・・・  弱化部
５０    ・・・  容器
５１    ・・・  容器口筒部
５２    ・・・  容器側ネジ部
５３    ・・・  容器フランジ
【図１】
2017019510.tif 000003
【図２】
2017019510.tif 000004
【図３】
2017019510.tif 000005
【図４】
2017019510.tif 000006
【図５】
2017019510.tif 000007
【図６】
2017019510.tif 000008
【手続補正書】
【提出日】平成28年9月2日(2016.9.2)
【手続補正１】
【補正対象書類名】特許請求の範囲
【補正対象項目名】全文
【補正方法】変更
【補正の内容】
【特許請求の範囲】
【請求項１】
キャップ本体と、前記キャップ本体の下端に弱化部を介して接続されるＴＥバンドとを備えたキャップであって、
前記ＴＥバンドは、前記キャップ本体の下端に接続される環状のバンド本体部と、前記バンド本体部の下端に連設され前記バンド本体部の内周側に折り返されるフラップとを有し、
前記フラップは、前記バンド本体部の下端に連設されたフラップ本体と、前記フラップ本体の内周側に形成され、容器装着時に容器フランジの下側に係合可能なフランジ用係合部と、前記フラップ本体の上端側に形成され、容器装着時に前記容器フランジの外周側に配置される姿勢維持片とを有し、
前記バンド本体部の内周壁には、容器装着時に、前記姿勢維持片の外周壁と前記バンド本体部の内周壁との間に間隙を形成する逃げ部が形成され、
前記姿勢維持片の周方向幅は、前記フラップ本体の周方向幅よりも狭く形成されていることを特徴とするキャップ。
【請求項２】
前記姿勢維持片は、前記フラップ本体の周方向両端にそれぞれ形成されていることを特徴とする請求項１に記載のキャップ。
【請求項３】
前記姿勢維持片の厚みは、前記フラップ本体の最薄箇所の厚みよりも薄く形成されていることを特徴とする請求項１または請求項２に記載のキャップ。
【請求項４】
請求項１乃至請求項３のいずれかに記載のキャップと、容器とを備えるキャップ付き容器であって、
前記容器は、容器口筒部と、前記容器口筒部の外周に形成された容器側ネジ部と、前記容器側ネジ部の下方において前記容器口筒部の外周に形成された前記容器フランジとを有し、
前記キャップを前記容器に装着した状態で、前記姿勢維持片の外周壁と前記バンド本体部の内周壁との間に間隙が形成されることを特徴とする記載のキャップ付き容器。
【手続補正２】
【補正対象書類名】明細書
【補正対象項目名】００１０
【補正方法】変更
【補正の内容】
【００１０】
本発明のキャップは、キャップ本体と、前記キャップ本体の下端に弱化部を介して接続されるＴＥバンドとを備えたキャップであって、前記ＴＥバンドは、前記キャップ本体の下端に接続される環状のバンド本体部と、前記バンド本体部の下端に連設され前記バンド本体部の内周側に折り返されるフラップとを有し、前記フラップは、前記バンド本体部の下端に連設されたフラップ本体と、前記フラップ本体の内周側に形成され、容器装着時に容器フランジの下側に係合可能なフランジ用係合部と、前記フラップ本体の上端側に形成され、容器装着時に前記容器フランジの外周側に配置される姿勢維持片とを有し、前記バンド本体部の内周壁には、容器装着時に、前記姿勢維持片の外周壁と前記バンド本体部の内周壁との間に間隙を形成する逃げ部が形成され、前記姿勢維持片の周方向幅は、前記フラップ本体の周方向幅よりも狭く形成されていることにより、前記課題を解決するものである。
本発明のキャップ付き容器は、前記キャップと、容器とを備えるキャップ付き容器であって、前記容器は、容器口筒部と、前記容器口筒部の外周に形成された容器側ネジ部と、前記容器側ネジ部の下方において前記容器口筒部の外周に形成された前記容器フランジとを有し、前記キャップを前記容器に装着した状態で、前記姿勢維持片の外周壁と前記バンド本体部の内周壁との間に間隙が形成されることにより、前記課題を解決するものである。
【手続補正３】
【補正対象書類名】明細書
【補正対象項目名】００１１
【補正方法】変更
【補正の内容】
【００１１】
本請求項１、４に係る発明によれば、ＴＥバンドのバンド本体部の内周壁に、容器装着時に容器フランジの外周側に配置されるフラップの姿勢維持片の外周壁とバンド本体部の内周壁との間に間隙を形成する逃げ部が形成されていることにより、容器にキャップを装着した状態で、姿勢維持片の外周壁とバンド本体部の内周壁との間に間隙が形成され、姿勢維持片の外周側がバンド本体部によって支持されることを回避するとともに、姿勢維持片を外周側に撓ませることが可能になるため、姿勢維持片の内周壁と容器フランジの外周壁との間の接触圧が大きくなることを回避して、容器に対してキャップを回転させる際の姿勢維持片の内周壁と容器フランジの外周壁との間の摩擦が大きくなることを回避することができる。これにより、容器フランジに対する姿勢維持片の接触によってフラップとＴＥバンドとの間の角度を維持して、キャップ開封時におけるフラップの反転を確実に防止しつつも、キャップ開封時のトルクに関する違和感を使用者に覚えさせることを抑制することができる。
また、姿勢維持片の周方向幅が、フラップ本体の周方向幅よりも狭く形成されていることにより、フラップ本体の周方向幅と同じ幅で姿勢維持片を形成した場合と比較して、材料コストを低減することができるばかりでなく、フラップの姿勢維持片の内周壁と容器フランジの外周壁との間の摩擦を更に低減することができ、キャップ開封時に必要とされるトルクを通常のキャップにより近づけることができる。
【手続補正４】
【補正対象書類名】明細書
【補正対象項目名】００１２
【補正方法】変更
【補正の内容】
【００１２】
本請求項２に係る発明によれば、姿勢維持片が、フラップ本体の周方向両端にそれぞれ形成されていることにより、両端に形成された姿勢維持片によって、フラップとＴＥバンドとの間の角度を確実に維持しつつも、姿勢維持片の内周壁と容器フランジの外周壁との間の摩擦を低減することができる。
本請求項３に係る発明によれば、姿勢維持片の厚みが、フラップ本体の最薄箇所の厚みよりも薄く形成されていることにより、姿勢維持片の可撓性が向上し、キャップ開封時に、姿勢維持片が外周側に向けて撓み易くなるため、容器フランジとフランジ用係合部との係合を良好に維持しつつも、フラップの姿勢維持片の内周壁と容器フランジの外周壁との間の摩擦を一段と低減することができる。
【手続補正書】
【提出日】平成28年11月11日(2016.11.11)
【手続補正１】
【補正対象書類名】特許請求の範囲
【補正対象項目名】全文
【補正方法】変更
【補正の内容】
【特許請求の範囲】
【請求項１】
キャップ本体と、前記キャップ本体の下端に弱化部を介して接続されるＴＥバンドとを備えたキャップであって、
前記ＴＥバンドは、前記キャップ本体の下端に接続される環状のバンド本体部と、前記バンド本体部の下端に連設され前記バンド本体部の内周側に折り返されるフラップとを有し、
前記フラップは、前記バンド本体部の下端に連設されたフラップ本体と、前記フラップ本体の内周側に形成され、容器装着時に容器フランジの下側に係合可能なフランジ用係合部と、前記フラップ本体の上端側に形成され、容器装着時に前記容器フランジの外周側に配置される姿勢維持片とを有し、
前記バンド本体部の内周壁には、容器装着時に、前記姿勢維持片の外周壁と前記バンド本体部の内周壁との間に間隙を形成する逃げ部が形成され、
前記姿勢維持片の周方向幅は、前記フラップ本体の周方向幅よりも狭く形成されていることを特徴とするキャップ。
【請求項２】
前記姿勢維持片は、前記フラップ本体の周方向両端にそれぞれ形成されていることを特徴とする請求項１に記載のキャップ。
【請求項３】
前記姿勢維持片の厚みは、前記フラップ本体の最薄箇所の厚みよりも薄く形成されていることを特徴とする請求項１または請求項２に記載のキャップ。
【請求項４】
請求項１乃至請求項３のいずれかに記載のキャップと、容器とを備えるキャップ付き容器であって、
前記容器は、容器口筒部と、前記容器口筒部の外周に形成された容器側ネジ部と、前記容器側ネジ部の下方において前記容器口筒部の外周に形成された前記容器フランジとを有し、
前記キャップを前記容器に装着した状態で、前記姿勢維持片の外周壁と前記バンド本体部の内周壁との間に間隙が形成されることを特徴とするキャップ付き容器。